(57)【要約】【課題】  捌き板の捌き力を捌き板の摩擦抵抗よりも小抵抗力側の範囲内で調節することができるとともに、シートを所定の直進方向に給紙することができる捌き板被覆具を提供する。【解決手段】  給紙台上に積層されたシートを、給紙ローラとこの給紙ローラの外周面に対向して配設した捌き板との間を通過させて送出する給紙装置に、着脱自在に装着される捌き板被覆具２０であって、前記捌き板より低摩擦抵抗の薄板材から成り、前後方向に延び且つ前方に向って開口する所定幅の切欠部２２を有する、前記捌き板の上面を被覆するための被覆板２１と、この被覆板２１の後部に固着され、前記給紙台のテーブルの後端面部に係脱される下向きの係止片部２６をそなえた保持具２５とを、具備した。【選択図】      図４
2009057171.tif 000002
【特許請求の範囲】
【請求項１】
給紙台上に積層されたシートを、給紙ローラとこの給紙ローラの外周面に対向して配設した捌き板との間を通過させて送出する給紙装置に、着脱自在に装着される捌き板被覆具であって、
前記捌き板より低摩擦抵抗の薄板材から成り、前後方向に延び且つ前方に向って開口する所定幅の切欠部を有する、前記捌き板の上面を被覆するための被覆板と、
この被覆板の後部に固着され、前記給紙台のテーブルの後端面部に係脱される下向きの係止片部をそなえた保持具とを、
具備したことを特徴とする捌き板被覆具。
【請求項２】
前記給紙台のテーブルに設けた切欠に係合して前記保持具の横移動を規制するストッパを、前記保持具に下向きに突設したことを特徴とする請求項１記載の捌き板被覆具。
【発明の詳細な説明】
【技術分野】
【０００１】
この発明は、新聞広告丁合装置や紙折機などで用いられる、積重ね状態のシートを１枚ずつ分離して送出する給紙装置に、着脱自在に装着される捌き板被覆具に関する。
【背景技術】
【０００２】
数種類のちらしを一枚ずつ寄せ集めて１セットにし新聞に差込むための新聞広告丁合装置において、供給台上に積重ねたちらしを一枚ずつ送り出す給紙装置としては、給紙台上に積層されたシートを、給紙ローラと該給紙ローラの外周面に対向して配設した重送（二重送り）防止用の捌き板との間を通過させて送出する給紙装置が、広く用いられている。
【０００３】
このような給紙装置においては、給紙対象であるシートの材質や厚さによって、円滑な給紙のために必要とされる捌き板の摩擦抵抗力が変動し、たとえばザラ紙状のちらしやタブロイド版の新聞などのように表面が粗面で抵抗の大きいシートの場合は、捌き板の摩擦抵抗力が大きいと、捌き板と給紙ローラの間にシートが詰まって給紙不能となったり、無理な送給による破れを生じたりする。そしてこのような場合には、捌き板の摩擦抵抗力を減らす必要がある。そこでこの捌き板を交換可能としたものとして、たとえば特許文献１により提案されている紙捌き部材があるが、これは紙送り方向上流側の滑り面を形成する滑面体を揺動台上に具備する特殊な形式のものに限られるため、この滑面体を具備せず捌き板の上流側でのシートのガイドは給紙台のカバーでおこなうという一般的な構造の給紙装置には適用できないものであるうえ、滑面体，そのガイド機構，スプリング等、部品点数が多く構造が複雑で製作費もかさむという問題点を有するものである。
【特許文献１】実公平５−２５０４号公報
【０００４】
また捌き板を交換せずに捌き力を増強させるようにした捌き力調整具も提案されている（たとえば特許文献２参照）。ところがこれは捌き板よりも摩擦抵抗が大きい摩擦シートで捌き板の上面全体を覆うものであるため、給紙対象シートが前述のような粗面状の場合には、この摩擦シートの摩擦抵抗を捌き板よりも小とする必要がある。
【０００５】
しかしこの摩擦抵抗の小さい摩擦シートを用いた場合も、給紙対象シートの紙質によって摩擦抵抗力を各種の大きさに変えたい場合は、摩擦シートの摩擦抵抗が異なる多種類の捌き力調整具を用意しておいて、いちいち取替える必要があるので煩雑であるうえ、摩擦抵抗の低下によりシートが所定の直進方向に給紙されずに該直進方向に対して平面上で傾斜した斜行方向に給紙されやすく、丁合状態が不揃いとなるという問題点を有するものである。
【特許文献２】実用新案登録第３１２６９８６号公報
【発明の開示】
【発明が解決しようとする課題】
【０００６】
この発明は上記従来の問題点を解決しようとするもので、捌き板の捌き力を捌き板の摩擦抵抗よりも小抵抗力側の範囲内で調節することができるとともに、シートを所定の直進方向に給紙することができる捌き板被覆具を提供することを目的とする。
【課題を解決するための手段】
【０００７】
上記目的を達成するために、請求項１記載の捌き板被覆具は、給紙台上に積層されたシートを、給紙ローラとこの給紙ローラの外周面に対向して配設した捌き板との間を通過させて送出する給紙装置に、着脱自在に装着される捌き板被覆具であって、前記捌き板より低摩擦抵抗の薄板材から成り、前後方向に延び且つ前方に向って開口する所定幅の切欠部を有する、前記捌き板の上面を被覆するための被覆板と、この被覆板の後部に固着され、前記給紙台のテーブルの後端面部に係脱される下向きの係止片部をそなえた保持具とを、具備したことを特徴とする。
【０００８】
この発明において「前」側とはシート送り方向の下流側（進行方向側）を称し、「後」側とはシート送り方向の上流側を称するものとする。また「左右」方向とは、上記の前後方向に対して直交する左右方向を称するものとする。
【０００９】
請求項１記載の発明によれば、捌き板被覆具は、保持具の係止片部を給紙台のテーブルの後端面に係合させ、被覆板により捌き板の上面を被覆した状態で、給紙装置に装着される。この装着状態において捌き板の給紙ローラに対する圧接力（捌き圧）を、給紙装置の捌き板と給紙ローラとの間隙あるいは圧接力を調節する間隙調節機構により、変化させると、上記圧接力小のときは給紙ローラのゴムタイヤの外周部は捌き板上の被覆板の上面（切欠部の左右両側の帯状片部の上面）にのみ接触するが、上記圧接力を増加させると、ゴムタイヤの弾性変形によりゴムタイヤの外周部の幅方向中央部付近が、被覆板の切欠部内に膨出して捌き板の表面に接触し、その接触（左右）幅は上記圧接力の増加に伴って増加する。
【００１０】
従ってこのような圧接状態で給紙ローラにより給紙対象であるシートを摩擦駆動して給紙をおこなうと、給紙ローラの外周の輪郭に沿って変形するシートには、上記の捌き板よりも低摩擦抵抗の被覆板の帯状片部のみによる摩擦抵抗力に、切欠部内における捌き板表面との接触による摩擦抵抗力が加わった捌き力が作用することになり、上記の切欠部内における捌き板表面との接触幅は、上記の圧接力により調節できるので、シートの紙質等に応じて上記の圧接力の調節により捌き力を捌き板の摩擦抵抗力よりも小抵抗側の範囲内で調節することができるのである。そして上記の被覆板の切欠部内に膨出する形で給紙されるシートは、被覆板の切欠部の前後方向に延びる上縁部により折曲げられた形で前方へ給紙されるので、この２本の上縁部によりガイドされて直進方向に進行する。
【００１１】
また請求項２記載の捌き板被覆具は、請求項１記載の捌き板被覆具において、前記給紙台のテーブルに設けた切欠に係合して前記保持具の横移動を規制するストッパを、前記保持具に下向きに突設したことを特徴とする。
【００１２】
請求項２記載の発明によれば、ストッパと切欠との係合により捌き板被覆具が大きく横移動するのが防止され、被覆板による捌き板の被覆が確実に維持される。
【発明の効果】
【００１３】
以上説明したようにこの発明の捌き板被覆具によれば、捌き板の捌き力を捌き板の摩擦抵抗よりも小抵抗力側の範囲内で調節することができ、給紙対象シートの紙質等により捌き板被覆具をいちいち取替える必要はなくなり、また切欠部の上縁部によるガイド作用によりシートを所定の直進方向に給紙することができる。
【００１４】
また上記の効果に加えて、請求項２記載の発明によれば、ストッパと切欠との係合により、捌き板被覆具の横移動が防止され、被覆板による捌き板の被覆が確実に維持されて、捌き板被覆具の横ずれによる給紙ミスが防止される。
【発明を実施するための最良の形態】
【００１５】
以下図１〜図６に示す一例により、この発明の実施の形態を説明する。図１および図２は、後述する図４に示す捌き板被覆具２０を装着した状態の新聞広告丁合装置の給紙装置１を示し、基枠である左右のフレーム（図示しない）間に、水平方向に延びる給紙台２が、上下に間隔をおいて複数段設置され、各給紙台２の先端部付近に給紙ローラ３と補助ローラ４を配設してある。給紙台２は、両端部をフレームに固着された上向きに開口する梁状のテーブル部５と、フレームにピン６により傾動自在に支持された傾斜板部７とから成り、テーブル部５の上面は、後述の捌き板１０が露出する切欠５ｂ部を除いてカバー５ａによって覆われ、給紙対象であるちらし８は傾斜板部７およびカバー５ａ上に積層状態で載せられる。
【００１６】
給紙ローラ３は、外周部に鋸歯状の凹凸を有するゴムタイヤ３ａをローラ本体３ｂの外周部に嵌着してなり、上段側のテーブル部５に垂設固定したブラケット（図示しない）に回転自在に支持されたローラ駆動軸９により、矢印Ｒで示す回転方向に間欠駆動される。また補助ローラ４は、外周部に給紙ローラ３と同様なゴムタイヤをそなえ、ローラ駆動軸９に揺動自在に支持された揺動アーム（図示しない）に軸支され、図示しないタイミングベルトにより給紙ローラ３と連動して回転し、給紙時に最上層のちらし８を摩擦駆動するためのもので、たとえば実公平１−１４５８６号公報記載のものなど、公知の各形式のものを用いる。
【００１７】
給紙ローラ３の下方には、ちらし８の重送（二重送り）防止用のゴム製の捌き板（駒片）１０が設けてある。この捌き板１０は、テーブル部５に固設したブラケット１１により両端部を支持した支軸１２のまわりに揺動自在に支持された揺動台１３の上面に、押え金具１４の締付けにより取付けられている。１５は、ちらしの紙質や厚さ、印刷状態などに応じてちらしを確実に供給するために、捌き板１０と給紙ローラ３との間隙あるいは圧接力（捌き圧）Ｐを調節する間隙調節機構で、図３にも示すように揺動台１３の底面部に傾斜台１６をねじ止めし、この下側の傾斜面１６ａに当接するボール１７を保持し左右方向に延びる棒状のホルダー１８を、給紙方向（矢印Ｘ方向）に直交する矢印Ｊ又はＫ方向に進退させて、揺動台１３の傾斜量を調節するものであり、ホルダー１８はたとえば実公昭５５ー３８９２２号公報に記載されているようなつまみ（ダイヤル）の回転操作により進退駆動されるものである。
【００１８】
次に図４は、上記の給紙装置１に着脱自在に装着される捌き板被覆具２０を、該給紙装置１から取外した状態を示す斜視図であり、捌き板１０より低摩擦抵抗の薄板材から成る被覆板２１の後部に、金属板製の保持具２５を接着により固着して成る。被覆板２１は、給紙装置１への装着状態における前後方向に延び且つ前方に向って開口する所定幅Ｗ（図２参照）の切欠部２２を有し、各種材質の樹脂板あるいは金属板で構成することができ、またその板厚は給紙ローラ３のゴムタイヤ３ａ部の柔軟度に応じてたとえば０．２〜０．７mmの範囲から選定され、この例では厚さ０．３mmのポリカーボネート製樹脂板を用いている。２３は切欠部２２の左右において前後方向に延びる帯状片部で、この帯状片部２３の先端は、給紙装置１への装着状態において捌き板１０の前端部を越えて前方へ延び、また被覆板２１の左右幅Ｖ（図２参照）は捌き板１０の左右幅より大であり、これによって被覆板２１は捌き板１０の上面を、（切欠部２２を除いて）被覆する外形寸法を有するものとなっている。
【００１９】
また保持具２５は、金属板（この例ではステンレス板）の折曲成形品から成り、図１および図２にも示すようにテーブル部５の後端面部（詳しくはこの例ではカバー５ａの後部下向折曲片部の表面部）に係脱される下向きの係止片部２６をそなえるとともに、その前端左右部に突出状に形成した耳片部を下向きに折曲げてストッパ２７，２７を形成してある。そしてこのストッパ２７，２７は、給紙装置１への装着状態においては、図５に示すようにカバー５ａに設けた切欠５ｂの前後方向に延びる縁部に少量の間隙２８をおいて対向する外形（左右幅）寸法を有する。
【００２０】
上記構成の捌き板被覆具２０を給紙装置１に装着するには、傾斜板部７およびカバー５ａ上にちらし８が無い状態で、間隙調節機構１５の図示しないつまみの回転操作によりホルダー１８を矢印Ｊ方向に移動させて揺動台１３を先端部が下方に向う方向に回動させ、捌き板１０と給紙ローラ３との間に間隙を形成させて、手で保持具２５部を把持した捌き板被覆具２０の被覆板２１部を、給紙ローラ３の後側から上記間隙部に挿入したのち、保持具２５部を下降させてそのストッパ２７，２７の切欠５ｂ内への挿入、および係止片部２６のテーブル部５の後端面部への係止操作をおこなって、図１および図２に示す装着状態とする。また上記と逆の手順で、捌き板被覆具２０を給紙装置１から迅速容易に取外すことができる。
【００２１】
次に上記の捌き板被覆具２０を給紙装置１へ装着した状態で、傾斜板部７およびカバー５ａ上に積層したちらし８の給紙をおこなうには、間隙調節機構１５の図示しないつまみの前記と反対方向への回動操作によりホルダー１８を矢印Ｋ方向に移動させて、揺動台１３を先端部が上方に向う方向に回動させ、捌き板１０と共に該捌き板１０の上面に積層された捌き板被覆具２０の被覆板２１を、給紙ローラ３の外周部に圧接させる。
【００２２】
この圧接状態では、給紙ローラ３のゴムタイヤ３ａの外周部は、図６に示すように捌き板被覆具２０の被覆板２１の前後方向に延びる帯状片部２３，２３により加圧されることにより、左右の幅Ｓの各部分が縮径方向に弾性変形し、被覆板２１の切欠部２２に対向する部分は、同図に示すように切欠部２２内に膨出してその中央部付近が捌き板１０の表面に接触する。そしてこのゴムタイヤ３ａの捌き板１０との接触幅Ｔは、捌き板１０（および被覆板２１）の給紙ローラ３の外周部に対する圧接力Ｐが大であれば広幅に、小であれば狭幅となる。
【００２３】
そこで上記の捌き板１０および被覆板２１と給紙ローラ３の外周部との圧接状態で、給紙ローラ３を矢印Ｒ方向へ駆動しこれと連動する補助ローラ４と共に通常の給紙操作をおこなうと、給紙ローラ３により摩擦駆動されて捌き板１０との間に進入するちらし８は、図６に示すゴムタイヤ３ａの輪郭に沿って変形し、ちらし８の下面には、２個所の幅Ｓの部分での被覆板２１との接触による摩擦抵抗力Ｆ１と、接触幅Ｔ（ちらしの腰の強さや厚さ等によっては、実際の接触幅はＴよりやや大となる）の部分での捌き板１０との接触による摩擦抵抗力Ｆ２とが、捌き力として作用することになる。
【００２４】
そして上記の捌き板１０との接触幅Ｔは、前述のように捌き板１０（および被覆板２１）の給紙ローラ３に対する圧接力（捌き圧）Ｐにより変化するので、この圧接力（捌き板１０の上下保持位置）の調節により、上記摩擦抵抗力Ｆ２を加減調節することができ、ちらし８の紙質等に応じて捌き板被覆具２０をいちいち交換することなしに、上記捌き力の調節をおこなうことができる。この捌き力の調節可能範囲は、上記圧接力を小さくして上記接触幅Ｔ＝０とした被覆板２１との接触のみによる摩擦抵抗力Ｆ１から、上記圧接力を大として上記切欠部２２内での接触幅Ｔが切欠部２２の幅Ｗにほぼ等しくなったときの上記摩擦抵抗力Ｆ２の最大値と上記摩擦抵抗力Ｆ１の合計値に至る範囲であり、捌き板被覆具２０なしの状態での捌き板１０の全面との接触による摩擦抵抗力よりも小抵抗側の上記範囲内で、捌き力の調節をおこなうことができるのである。
【００２５】
従って被覆板２１の板厚や、切欠部２２の幅Ｗによって、上記の調節可能範囲は変わるので、給紙対象の紙質等の範囲に応じて上記板厚や幅Ｗを選定しておくことにより、給紙対象が入替っても同一の捌き板被覆具２０により円滑な給紙をおこなうことができる。なお上記圧接力（捌き板１０の上下保持位置）の調節は、各給紙対象の給紙開始時毎に給紙状態を見ながら行なってもよいし、各給紙対象毎に予め試行給紙により設定した間隙調節機構１５のつまみ（ダイヤル）の設定目盛への切替回動セット操作によってもよい。
【００２６】
また上記のように弾性変形するゴムタイヤ３ａと共に被覆板２１の切欠部２２内に図６に示すように膨出するちらし８は、切欠部２２の前後方向に延びる上縁部（帯状片部２３の隅角部）２２ａ，２２ａにより折曲げられた形で前方へ給紙されるので、この２本の上縁部２２ａによりガイドされて所定の直進方向に進行し、ちらし８の斜行方向への進行が防止されるのである。
【００２７】
上記の給紙中においては、保持具２５の下向きの係止片部２６がテーブル部５の後端面と係合することにより、捌き板被覆具２０は前方へ移動することなく正規の前後位置に保持され、また保持具２５のストッパ２７，２７がカバー５ａの切欠５ｂと係合して、捌き板被覆具２０が大きく横移動するのが防止され、被覆板２１による捌き板１０の被覆が確実に維持される。
【００２８】
なお、給紙対象がちらし８等の１枚物でなく、たとえばタブロイド版の新聞のように二つ折りシートを複数枚重ね合せた厚物シートの場合は、上記の捌き板１０および被覆板２１の給紙ローラ３の外周部への圧接時には、該外周部と被覆板２１の上面との間には少量の隙間が存在する状態であってもよく、この状態で上記隙間より厚い上記厚物シートが上記隙間部を通過する際に、該厚物シートの下面が被覆板２１（帯状片部２３）の上面および捌き板１０の前記接触幅Ｔ部分に接触することにより、所定の捌き力のもとで給紙がおこなえるのである。
【００２９】
次に図７は、この発明の実施の形態の他の例を示し、この捌き板被覆具３０は、前記の例の保持具２５のストッパ２７，２７を省略した保持具３１を用い、この保持具３１の下面部に硬質樹脂製の小角片状のストッパ３２を接着した他は、前記の例の捌き板被覆具２０と同構成を有するものであり、図４と同一部分には同一符号を付して図示し、それらの詳細な説明は省略する。また上記のストッパ３２が嵌脱される切欠として、図２に鎖線で示すように、ストッパ３２が少量の隙間をもって嵌合する角穴状の切欠３５を、テーブル部５のカバー５ａに設けて利用する。なおストッパ３２を小円柱片状として、嵌合する切欠３５を丸穴状としてもよい。
【００３０】
この例の捌き板被覆具３０は、給紙装置１への装着状態において、ストッパ３２と上記切欠３５との係合により捌き板被覆具３０の横移動が防止される他は、捌き力の調節作用やちらし８の斜行防止作用等、すべて前記の例と同様な作用・効果が得られるものである。
【００３１】
この発明は上記各例に限定されるものではなく、たとえば捌き板被覆具２０，３０の各部材質や寸法等、具体的な構成は上記以外のものとしてもよく、また上記の例のストッパ２７，３２を省略したり、これらのストッパの代りに保持具に薄板状の磁石や両面粘着テープなどを取付けて、テーブル部５への固定化をはかるようにしてもよい。
【図面の簡単な説明】
【００３２】
【図１】この発明の実施の形態の一例を示す給紙装置の縦断面図（図２のＡ−Ａ線断面図）である。
【図２】図１の給紙装置の給紙台部分の要部平面図である。
【図３】図１のＢ−Ｂ線断面図である。
【図４】図１における捌き板被覆具の給紙装置から取外した状態での斜視図である。
【図５】図２のＣ−Ｃ線断面図である。
【図６】図１のＤ−Ｄ線拡大断面図である。
【図７】この発明の実施の形態の他の例を示す捌き板被覆具の下面側斜視図である。
【符号の説明】
【００３３】
１…給紙装置、２…給紙台、３…給紙ローラ、３ａ…ゴムタイヤ、５…テーブル部、５ａ…カバー、５ｂ…切欠、８…ちらし、１０…捌き板、１３…揺動台、１５…間隙調節機構、２０…捌き板被覆具、２１…被覆板、２２…切欠部、２５…保持具、２６…保持片部、２７…ストッパ、３０…捌き板被覆具、３１…保持具、３２…ストッパ、３５…切欠。
【図１】
2009057171.tif 000003
【図２】
2009057171.tif 000004
【図３】
2009057171.tif 000005
【図４】
2009057171.tif 000006
【図５】
2009057171.tif 000007
【図６】
2009057171.tif 000008
【図７】
2009057171.tif 000009